(57)【特許請求の範囲】
【請求項１】
絶縁ヤットコの一対の把持部のそれぞれに着脱可能な一対の取付部材であって、架線を配置する第一の凹部が形成されたスリーブ本体を有する圧縮スリーブをそれぞれの間に配置可能な一対の取付部材を備え、前記一対の取付部材のそれぞれは、前記第一の凹部が開放する方向及び前記第一の凹部内に配置された架線の軸線方向のそれぞれに直交する方向において前記スリーブ本体に対向させる挟持部を有し、前記一対の取付部材のうちの何れか一方の取付部材は、前記第一の凹部が開放する方向において前記スリーブ本体から延出する第一のリブを傾倒させる押圧部材を備え、該押圧部材は、前記第一のリブに当接しつつ前記第一の凹部上に移動可能な押部を有する絶縁ヤットコ用の先端工具。
【請求項２】
前記一方の取付部材は、前記スリーブ本体から前記第一のリブが延出する方向とは反対側に向けて延出する第二のリブを傾倒させる押上部材を備え、該押上部材は、前記第二のリブに当接しつつ、前記スリーブ本体に形成された第二の凹部であって、前記スリーブ本体における前記第一の凹部とは相反する方向に向けて開放する第二の凹部に対応する位置に移動可能な押上部を有する請求項１に記載の絶縁ヤットコ用の先端工具。
【請求項３】
前記一対の取付部材のうちの何れか他方の取付部材は、前記押上部を前記第二の凹部に対応する位置に移動した状態で維持するロック部材を有する請求項２に記載の絶縁ヤットコ用の先端工具。
【請求項４】
前記押圧部材は、前記押部から延出するレバー部を有し、前記押部と、該レバー部とは、互いに相反する方向に延出する請求項１乃至請求項３の何れか一項に記載の絶縁ヤットコ用の先端工具。
【発明の詳細な説明】
【技術分野】
【０００１】
本発明は、絶縁ヤットコに取り付けられる絶縁ヤットコ用の先端工具に関する。
【背景技術】
【０００２】
従来から、作業者が充電状態の架線に直接触れることなく作業を行う間接活線工法によって、種々の工事が行われている。
【０００３】
そして、間接活線工法による工事では、例えば、図７に示すように、架線Ｃ１に分岐線Ｃ２を電気的に接続する作業が行われることがある。この場合、絶縁ヤットコＹによって保持した圧縮スリーブＳに架線Ｃ１と分岐線Ｃ２とを電気的に接続することがある。
【０００４】
絶縁ヤットコＹは、互いに接離可能な一対の把持部Ｙ１を備える。また、絶縁ヤットコＹは、絶縁性を有する長尺な絶縁棒であって、長手方向における一端に対して一対の把持部Ｙ１のうちの一方の把持部Ｙ１が固定される絶縁棒と、一対の把持部Ｙ１のうちの他方の把持部Ｙ１に固定される操作棒であって、該他方の把持部Ｙ１を前記一方の把持部Ｙ１に接離させる操作棒とを有する（例えば、特許文献１参照）。
【０００５】
圧縮スリーブＳは、それぞれが相反する方向に向けて開放する一対の凹部Ｓ１０，Ｓ１１が形成されるスリーブ本体Ｓ１と、該スリーブ本体Ｓ１から延出し且つ傾倒可能な一対のリブＳ２，Ｓ３とを有する。
【０００６】
一方のリブ（以下、第一のリブという）Ｓ２は、一方の凹部（以下、第一の凹部という）Ｓ１０が開放する方向に向けて延出する。そして、他方のリブ（以下、第二のリブという）Ｓ３は、他方の凹部（以下、第二の凹部という）Ｓ１１が開放する方向に向けて延出する（例えば、特許文献２参照）。
【０００７】
この種の圧縮スリーブＳによって架線Ｃ１と分岐線Ｃ２とを電気的に接続するにあたり、まず、架線Ｃ１と分岐線Ｃ２とが圧縮スリーブＳに仮止めされる。
【０００８】
より具体的に説明する。絶縁ヤットコＹの各把持部Ｙ１によってスリーブ本体Ｓ１を挟み込む。そして、絶縁ヤットコＹに保持させた圧縮スリーブＳを架線Ｃ１に接近させる。さらに、第一の凹部Ｓ１０内に架線Ｃ１（架線Ｃ１の導電部）を配置し、第二の凹部Ｓ１１内に分岐線Ｃ２（分岐線Ｃ２の導電部）を配置する。
【０００９】
この状態において、第一のリブＳ２を傾倒させると、スリーブ本体Ｓ１における第一の凹部Ｓ１０を画定する部分と第一のリブＳ２とによって架線Ｃ１が抱え込まれる。そして、第二のリブＳ３を傾倒させると、スリーブ本体Ｓ１における第二の凹部Ｓ１１を画定する部分と第二のリブＳ３とによって分岐線Ｃ２が抱え込まれる。これにより、架線Ｃ１と分岐線Ｃ２とが圧縮スリーブＳに仮止めされる。
【００１０】
ところで、上述の作業では、作業者が圧縮スリーブＳを見上げながら作業を行うため、架線Ｃ１の上方に位置する第一のリブＳ２にアクセスすることが困難である。従って、上述の作業では、架線Ｃ１の上方に位置する第一のリブＳ２を適正に傾倒させることが困難であった。
【先行技術文献】
【特許文献】
【００１１】
【特許文献１】特開２００９−１５８３１１号公報
【特許文献２】特開２００９−０５００５４号公報
【発明の概要】
【発明が解決しようとする課題】
【００１２】
そこで、架線の上方に位置する圧縮スリーブのリブを容易に傾倒させることができる絶縁ヤットコ用の先端工具を提供することを課題とする。
【課題を解決するための手段】
【００１３】
本発明の絶縁ヤットコ用の先端工具は、絶縁ヤットコの一対の把持部のそれぞれに着脱可能な一対の取付部材であって、架線を配置する第一の凹部が形成されたスリーブ本体を有する圧縮スリーブをそれぞれの間に配置可能な一対の取付部材を備え、前記一対の取付部材のそれぞれは、前記第一の凹部が開放する方向及び前記第一の凹部内に配置された架線の軸線方向のそれぞれに直交する方向において前記スリーブ本体に対向させる挟持部を有し、前記一対の取付部材のうちの何れか一方の取付部材は、前記第一の凹部が開放する方向において前記スリーブ本体から延出する第一のリブを傾倒させる押圧部材を備え、該押圧部材は、前記第一のリブに当接しつつ前記第一の凹部上に移動可能な押部を有する。
【００１４】
上記構成の絶縁ヤットコ用の先端工具によれば、絶縁ヤットコの一対の把持部のそれぞれに着脱可能な一対の取付部材を備えるため、該一対の取付部材のそれぞれを別々の把持部に取り付けることができる。
【００１５】
一対の取付部材のそれぞれは、第一の凹部が開放する方向及び第一の凹部内に配置された架線の軸線方向のそれぞれに直交する方向においてスリーブ本体に対向させる挟持部を有するため、絶縁ヤットコの一対の把持部のそれぞれを互いに接離させることによって、各挟持部を互いに接離させることができる。
【００１６】
そのため、上記構成の絶縁ヤットコ用の先端工具では、一対の取付部材のそれぞれの挟持部の間にスリーブ本体が配置された状態において、一対の把持部のそれぞれを互いに接近させると、該スリーブ本体が一対の挟持部のそれぞれに挟み込まれる。このようにして、上記構成の絶縁ヤットコ用の先端工具は、一対の挟持部によって圧縮スリーブを保持することができる。
【００１７】
さらに、上記構成の絶縁ヤットコ用の先端工具では、前記一方の取付部材が第一のリブを傾倒させる押圧部材を備え、さらに、該押圧部材が第一のリブに当接しつつ第一の凹部上に移動可能な押部を有するため、押部を第一の凹部上に移動させることによって第一のリブを傾倒させることができる。
【００１８】
従って、上記構成の絶縁ヤットコ用の先端工具は、架線の上方に位置する圧縮スリーブのリブ（第一のリブ）を容易に傾倒させることができる。
【００１９】
本発明の絶縁ヤットコ用の先端工具の一態様として、前記一方の取付部材は、前記スリーブ本体から前記第一のリブが延出する方向とは反対側に向けて延出する第二のリブを傾倒させる押上部材を備え、該押上部材は、前記第二のリブに当接しつつ、前記スリーブ本体に形成された第二の凹部であって、前記スリーブ本体における前記第一の凹部とは相反する方向に向けて開放する第二の凹部に対応する位置に移動可能な押上部を有するようにしてもよい。
【００２０】
上記構成の絶縁ヤットコ用の先端工具によれば、前記一方の取付部材の押上部材が第二のリブに当接しつつ第二の凹部に対応する位置に移動可能な押上部を有するため、押部を第二の凹部に対応する位置に移動させることによって、第二のリブを傾倒させることができる。従って、上記構成の絶縁ヤットコ用の先端工具は、第一のリブに加えて、第二のリブを傾倒させることもできる。
【００２１】
本発明の絶縁ヤットコ用の先端工具の他態様として、前記一対の取付部材のうちの何れか他方の取付部材は、前記押上部を前記第二の凹部に対応する位置に移動した状態で維持するロック部材を有する。
【００２２】
このようにすれば、押上部を第二の凹部に対応する位置に移動した状態で維持することができる。そのため、上記構成の絶縁ヤットコ用の先端工具は、第二のリブを傾倒させた状態を確実に維持できる。
【００２３】
本発明の絶縁ヤットコ用の先端工具の別の態様として、前記押圧部材は、前記押部から延出するレバー部を有し、前記押部と、該レバー部とは、互いに相反する方向に延出するようにしてもよい。
【００２４】
このようにすれば、押部が架線の上方に向けて延出する状態において、レバー部が架線の下方に向けて延出した状態になる。そのため、上記構成の絶縁ヤットコ用の先端工具は、押部によって第一のリブを傾倒させるにあたり、レバー部に対して容易にアクセスできる。
【発明の効果】
【００２５】
以上のように、本発明の絶縁ヤットコ用の先端工具によれば、架線の上方に位置する圧縮スリーブのリブを容易に傾倒させることができるという優れた効果を奏し得る。
【図面の簡単な説明】
【００２６】
【図１】図１は、本発明の一実施形態に係る絶縁ヤットコ用の先端工具の側面図である
【図２】図２は、同実施形態に係る絶縁ヤットコ用の先端工具を一方の取付部材側から見た図である。
【図３】図３は、同実施形態に係る絶縁ヤットコ用の先端工具を他方の取付部材側から見た図である。
【図４】図４は、同実施形態に係る絶縁ヤットコ用の先端工具を一方の取付部材側から見た図であって、押圧部材を取り外した状態の図である。
【図５】図５は、同実施形態に係る絶縁ヤットコ用の先端工具の説明図であって、第一のリブを傾倒させた状態の説明図である。
【図６】図６は、同実施形態に係る絶縁ヤットコ用の先端工具の説明図であって、第二のリブを傾倒させた状態の説明図である。
【図７】図７は、絶縁ヤットコに保持させた圧縮スリーブに架線と分岐線とを仮止めしている状態の説明図であって、第一のリブを傾倒させた状態の説明図である。
【発明を実施するための形態】
【００２７】
以下、本発明の一実施形態に係る絶縁ヤットコ用の先端工具（以下、先端工具とする）について、添付図面を参照しつつ説明を行う。本実施形態に係る先端工具は、圧縮スリーブによって架線と分岐線とを電気的に接続する作業において用いられる。
【００２８】
まず、本実施形態において、先端工具が作業対象とする圧縮スリーブについて説明する。
【００２９】
図５に示すように、圧縮スリーブＳは、それぞれが相反する方向に向けて開放する一対の凹部Ｓ１０，Ｓ１１が形成されたスリーブ本体Ｓ１と、該スリーブ本体Ｓ１から延出し且つ傾倒可能な一対のリブＳ２，Ｓ３とを有する。
【００３０】
一方のリブ（以下、第一のリブという）Ｓ２は、一方の凹部（以下、第一の凹部という）Ｓ１０が開放する方向に向けて延出する。そして、他方のリブ（以下、第二のリブという）Ｓ３は、他方の凹部（以下、第二の凹部という）Ｓ１１が開放する方向に向けて延出する。
【００３１】
図１に示すように、本実施形態に係る先端工具１は、絶縁ヤットコＹの一対の把持部Ｙ１のそれぞれに着脱可能な一対の取付部材２であって、圧縮スリーブＳをそれぞれの間に配置可能な一対の取付部材２を備える。
【００３２】
一対の取付部材２のそれぞれは、第一の凹部Ｓ１０が開放する方向（以下、第一方向とする）及び第一の凹部Ｓ１０内に配置された架線Ｃ１の軸線方向（以下、第二方向とする）のそれぞれに直交する方向（以下、第三方向とする）においてスリーブ本体Ｓ１に対向させる挟持部２０を有する。また、一対の取付部材２のそれぞれは、把持部Ｙ１を挿入可能な凹部が形成される挿入部２１を有する。
【００３３】
図２に示すように、一対の取付部材２のそれぞれは、後述する押圧部材２５を挿入部２１に連結可能な連結部（以下、第一の連結部とする）２２を有する。さらに、一対の取付部材２のそれぞれは、後述する押上部材２６を挿入部２１に連結可能な連結部（以下、第二の連結部とする）２３を有する。また、図１に戻り、取付部材２は、挿入部２１の凹部に挿入された把持部Ｙ１を抜け止めする抜止部２４を有する。
【００３４】
挟持部２０は、第三方向においてスリーブ本体Ｓ１に対向する対向面２００を有する。そのため、本実施形態に係る先端工具１は、一対の挟持部２０のそれぞれの対向面２００によってスリーブ本体Ｓ１を挟み込むことができる。
【００３５】
挿入部２１には、絶縁ヤットコＹの把持部Ｙ１を挿入可能な凹部が形成される。挿入部２１は、凹部が開口する基端と、該基端とは反対側の先端とを有する。
【００３６】
図２、及び図４に示すように、第一の連結部２２は、挿入部２１から延出する一対の壁部２２０を有する。一対の壁部２２０のそれぞれは、第三方向において互いに間隔をあけて配置される。一対の壁部２２０のそれぞれには、互いが並ぶ方向において貫通する貫通穴２２０ａが形成される。
【００３７】
第二の連結部２３は、挿入部２１の一部によって構成される。より具体的に説明する。第二の連結部２３は、第三方向において互いに間隔をあけて配置される一対の装着部２３０を有する。一対の装着部２３０のそれぞれには、互いが並ぶ方向において貫通する貫通穴２３０ａが形成される。
【００３８】
図１に示すように、抜止部２４は、筒状であり且つ軸線方向における一方の開口が挿入部２１の凹部に連通する筒部２４０と、該筒部２４０内に挿入され且つ筒部２４０の軸線方向においてスライド可能な抜止ピン２４１と、該抜止ピン２４１を挿入部２１の凹部に向けて（筒部２４０の軸線方向における他方の開口から筒部２４０の一方の開口に向けて）該抜止ピン２４１を付勢する付勢部材２４２とを有する。
【００３９】
筒部２４０の内周面には、軸心方向に沿って延びる案内溝（図示しない）が形成される。
【００４０】
抜止ピン２４１は、軸状のピン本体２４１ａであって、軸心方向において一端、及び該一端とは反対側の他端を有するピン本体２４１ａと、該ピン本体２４１ａの一端に連続し且つ外径が筒部２４０の内径よりも大きい頭部２４１ｂと、ピン本体２４１ａから径方向外方向に向けて延出し且つ案内溝内に配置される受部（図示しない）とを有する。
【００４１】
ピン本体２４１ａの長さは、筒部２４０の軸心方向における長さよりも長い。そのため、抜止ピン２４１は、筒部２４０の軸心方向においてスライドすることによって、ピン本体２４１ａの他端が筒部２４０から挿入部２１の凹部内に進出した状態と、ピン本体２４１ａの他端が挿入部２１の凹部内から筒部２４０内に退避した状態とに切り替わる。
【００４２】
付勢部材２４２は、筒部２４０内に配置される。付勢部材２４２は、受部を筒部２４０の他方の開口に向けて付勢する。
【００４３】
図１、及び図２に示すように、一対の取付部材２のうちの一方の取付部材２は、第一のリブＳ２を傾倒させる押圧部材２５を備える。また、前記一方の取付部材２は、第二のリブＳ３を傾倒させる押上部材２６を備える。このように、本実施形態に係る先端工具１では、前記一方の取付部材２に対して押圧部材２５と、押上部材２６とが連結される。
【００４４】
押圧部材２５は、第一のリブＳ２に当接しつつ第一の凹部Ｓ１０上に移動可能な押部２５０を有する。また、押圧部材２５は、押部２５０から延出するレバー部２５１とを有する。
【００４５】
押部２５０は、一方の取付部材２に回転可能に取り付けられる。より具体的に説明する。押部２５０は、圧縮スリーブＳの第一のリブＳ２に当接する当接面を有する押部本体２５０ａと、該押部本体２５０ａの当接面から突出する突出部２５０ｂとを有する。
【００４６】
押部本体２５０ａは、レバー部２５１につながる基端と、該基端とは反対側の先端とを有する。押部本体２５０ａは、平板状である。また、押部本体２５０ａは、基端と先端とが並ぶ方向と直交する方向において長手をなす。
【００４７】
突出部２５０ｂは、湾曲する。より具体的に説明する。突出部２５０ｂは、当接面から延出するにつれて押部本体２５０ａの先端側に変位するように湾曲する。突出部２５０ｂは、第二方向において長手をなす。なお、突出部２５０ｂは、押部２５０が第一の凹部Ｓ１０上に移動した状態において、該第一の凹部Ｓ１０内に位置することが好ましい。このようにすれば、押圧部材２５は、第一のリブＳ２を第一の凹部Ｓ１０内に折り込むようにして傾倒させることができる。
【００４８】
レバー部２５１は、押部本体２５０ａの基端から延出するアーム部２５１ａと、該アーム部２５１ａの先端に連続する操作部２５１ｂとを有する。操作部２５１ｂは、アーム部２５１ａが延びる方向と直交する方向に延びる。
【００４９】
アーム部２５１ａには、基端と先端とが並ぶ方向と直交する方向において、貫通する挿通穴２５１ｃが形成される。アーム部２５１ａは、前記一方の取付部材２における各壁部２２０の間に配置される。そして、アーム部２５１ａの挿通穴２５１ｃには、前記一方の取付部材２における各壁部２２０の貫通穴２２０ａに挿通させた支軸Ｐ１が挿通される。これにより、押圧部材２５は、前記一方の取付部材２に対して回転可能に構成される。
【００５０】
本実施形態に係る押圧部材２５では、押部２５０と、レバー部２５１とは、互いに相反する方向に延出する。より具体的に説明する。レバー部２５１のアーム部２５１ａは、押部本体２５０ａの基端から押部本体２５０ａの先端とは反対側に向けて延出する。
【００５１】
押上部材２６は、第二のリブＳ３に当接しつつ第二の凹部Ｓ１１に対応する位置に移動可能な押上部２６０を有する。また、押上部材２６は、押上部２６０につながる被係合部２６１を有する。さらに、本実施形態に係る押上部材２６は、押上部２６０につながり且つ前記一方の取付部材２に対して回転可能に取り付けられる被取付部材２６２を有する。
【００５２】
押上部２６０は、一方の取付部材２に回転可能に取り付けられる。より具体的に説明する。押上部２６０は、圧縮スリーブＳの第二のリブＳ３に当接する当接面を有する押上部本体２６０ａと、該押上部本体２６０ａの当接面から突出する突起部２６０ｂとを有する。
【００５３】
押上部本体２６０ａは、被取付部材２６２につながる基端と、該基端とは反対側の先端とを有する。また、押上部本体２６０ａは、基端と該基端とが並ぶ方向と直交する方向において長手をなす。
【００５４】
突起部２６０ｂは、湾曲する。より具体的に説明する。突起部２６０ｂは、当接面から延出するにつれて押部本体２５０ａの先端側に変位するように湾曲する。突起部２６０ｂは、第二方向において長手をなす。なお、突起部２６０ｂ、押上部２６０が第二の凹部Ｓ１１に対応する位置に移動した状態において、該第二の凹部Ｓ１１内に位置することが好ましい。このようにすれば、押上部材２６は、第二のリブＳ３を第二の凹部Ｓ１１内に折り込むようにして傾倒させることができる。
【００５５】
被係合部２６１は、押上部２６０の第二端から延出する延出部２６１ａと、該延出部２６１ａに形成される歯部２６１ｂとを有する。
【００５６】
被取付部材２６２は、第三方向において互いに間隔をあけて配置される一対の被支持部２６２ａを有する。一対の被支持部２６２ａの間には、一対の装着部２３０のそれぞれが配置される。そして、一対の被支持部２６２ａのそれぞれには、個別の支軸Ｐ２が挿通される（図４参照）。
【００５７】
前記一対の取付部材２のうちの何れか他方の取付部材２は、押上部２６０を第二の凹部Ｓ１１に対応する位置に移動した状態で維持するロック部材２７を有する。
【００５８】
図１、及び図３に示すように、ロック部材２７は、押上部２６０が第二の凹部Ｓ１１に対応する位置に配置された状態において該被係合部２６１に係合可能な係合部２７０を有する。また、ロック部材２７は、前記他方の取付部材２に固定される固定部２７１と、該固定部２７１と係合部２７０とにつながり且つ弾性を有する弾性部２７２とを有する。
【００５９】
係合部２７０は、弾性部２７２が取り付けられるベース２７０ａと、該ベース２７０ａに形成される突起部２７０ｂとを有する。係合部２７０の突起部２７０ｂと、被係合部２６１の歯部２６１ｂとは、互いに係合可能である。
【００６０】
弾性部２７２は、例えば、板ばねによって構成される。
【００６１】
本実施形態に係る先端工具１は、以上の通りである。続いて、本実施形態に係る先端工具１の使用方法について、図面を参照しつつ説明を行う。なお、本実施形態では、図５に示すように、圧縮スリーブＳによって架線Ｃ１と分岐線Ｃ２とを電気的に接続する作業を一例に挙げて、先端工具１の使用方法を説明する。
【００６２】
まず、一対の取付部材２のそれぞれを個別の把持部Ｙ１に取り付ける。本実施形態では、前記一方の取付部材２の挿入部２１に一方の把持部Ｙ１を挿入し、前記他方の取付部材２の挿入部２１に他方の把持部Ｙ１を挿入する。
【００６３】
そして、一対の挟持部２０の間に圧縮スリーブＳを介在させた状態において、各把持部Ｙ１を互いに接近させる。これにより、一対の挟持部２０の対向面２００によって、圧縮スリーブＳを挟み込む。そして、圧縮スリーブＳを架線Ｃ１に接近させる。さらに、第一の凹部Ｓ１０内に架線Ｃ１を配置し、第二の凹部Ｓ１１内に架線Ｃ１を配置する。
【００６４】
この状態において、絶縁ヤットコＹによって圧縮スリーブＳを保持しつつ、別の間接活線工具によって、レバー部２５１を上方に押し上げると、押部２５０が第一のリブＳ２に当接しながらスリーブ本体Ｓ１の第一の凹部Ｓ１０に対応する位置に移動する。すなわち、押部２５０によって、第一のリブＳ２が押圧される。このようにして、押部２５０が第一のリブＳ２を傾倒させる。これにより、第一の凹部Ｓ１０内の架線Ｃ１が第一のリブＳ２によって抱え込まれる。
【００６５】
さらに、図６に示すように、間接活線工具によって、押上部２６０を上方に押し上げると、押上部２６０が第二のリブＳ３に当接しながらスリーブ本体Ｓ１の第二の凹部Ｓ１１に対応する位置に移動する。すなわち、押上部２６０によって、第二のリブＳ３が押圧される。このようにして、押上部２６０が第二のリブＳ３を傾倒させる。これにより、第二の凹部Ｓ１１内の分岐線Ｃ２が第二のリブＳ３によって抱え込まれる。
【００６６】
このとき、ロック部材２７の係合部２７０と、押上部材２６の被係合部２６１とを互いに係合させると、押上部２６０が第二の凹部Ｓ１１に対応する位置に配置された状態で維持される。
【００６７】
以上のように、本実施形態に係る先端工具１は、前記一方の取付部材２の押圧部材２５が第一のリブＳ２に当接しつつ第一の凹部Ｓ１０上に移動可能な押部２５０を有するため、押部２５０を第一の凹部Ｓ１０上に移動させることによって第一のリブＳ２を傾倒させることができる。従って、先端工具１は、架線Ｃ１の上方に位置する圧縮スリーブＳのリブ（本実施形態では、第一のリブＳ２）を容易に傾倒させることができる。
【００６８】
また、先端工具１では、押上部２６０が第二のリブＳ３に当接しつつ、第二の凹部Ｓ１１に対応する位置に移動可能であるため、該押上部２６０を第二の凹部Ｓ１１に対応する位置に移動させることによって、第二のリブＳ３を傾倒させることができる。従って、先端工具１は、第一のリブＳ２に加えて、架線Ｃ１（分岐線Ｃ２）の下方に位置する第二のリブＳ３を傾倒させることもできる。
【００６９】
そして、先端工具１は、第一のリブＳ２に加えて、第二のリブＳ３も適正に傾倒させることができる。そして、先端工具１は、係合部２７０を被係合部２６１に係合させることによって、押上部２６０を第二の凹部Ｓ１１に対応する位置に配置した状態を維持できる。そのため、第二のリブＳ３を傾倒させた状態を確実に維持できる。従って、先端工具１は、圧縮スリーブＳに仮止めした分岐線Ｃ２が第二の凹部Ｓ１１内から外れてしまうことを防止することができる。
【００７０】
押圧部材２５は、押部２５０から延出するレバー部２５１を備えるため、レバー部２５１の状態を確認しながら架線Ｃ１よりも上方に位置する第一のリブＳ２を傾倒させることができる。すなわち、先端工具１は、延出部２６１ａの状態によって押部２５０の把握できるため、架線Ｃ１の上方に位置する圧縮スリーブＳの第一のリブＳ２を適正に傾倒させることができる。
【００７１】
また、押圧部材２５において、押部２５０と、レバー部２５１とは、互いに相反する方向に延出するため、押部２５０が架線Ｃ１の上方に向けて延出する状態において、レバー部２５１が架線Ｃ１の下方に向けて延出した状態になる。そのため、先端工具１は、押部２５０によって第一のリブＳ２を傾倒させるにあたり、レバー部２５１に対して容易にアクセスできる。
【００７２】
押圧部材２５の突出部２５０ｂは、当接面から延出するにつれて押部本体２５０ａの先端側に変位するように湾曲するため、第一のリブＳ２を円滑に傾倒させることができる。
【００７３】
また、押上部材２６の突起部２６０ｂは、当接面から延出するにつれて押部本体２５０ａの先端側に変位するように湾曲するため、第二のリブＳ３を円滑に傾倒させることができる。
【００７４】
なお、本発明の先端工具は、上記の実施形態に限定されるものではなく、本発明の要旨を逸脱しない範囲において種々変更を行うことは勿論である。
【００７５】
上記実施形態において、先端工具１は、第一のリブＳ２及び第二のリブＳ３を有する圧縮スリーブＳを作業対象とするが、例えば、先端工具１は、第一のリブＳ２のみを有する圧縮スリーブＳを作業対象としてもよい。
【００７６】
上記実施形態における先端工具１は、押圧部材２５と、押上部材２６とを備えていたが、この構成に限定されるものではない。例えば、先端工具１は、押上部材２６を備えていなくてもよい。すなわち、先端工具１は、第一のリブＳ２のみを傾倒させるように構成されていてもよい。この場合、先端工具１は、ロック部材２７も備えていなくてもよい。
【００７７】
上記実施形態における先端工具１では、一方の取付部材２に対して押圧部材２５と、押上部材２６とが取り付けられていたが、この構成に限定されるものではない。例えば、先端工具１は、他方の取付部材２に対して押圧部材２５と、押上部材２６とが取り付けられていてもよい。この場合、先端工具１では、ロック部材２７が前記一方の取付部材２に取り付けられる。
【００７８】
上記実施形態における先端工具１では、押部２５０と、レバー部２５１とは、互いに相反する方向に延出するが、この構成に限定されない。例えば、押部２５０と、レバー部２５１とは、互いに交差する方向に延出してもよい。
【００７９】
上記実施形態において、先端工具１は、押圧部材２５と、押上部材２６とを備えるが、この構成に限定されない。例えば、先端工具１は、押上部材２６を備えていなくてもよい。この場合、先端工具１は、ロック部材２７を備えていなくてもよい。
【００８０】
上記実施形態において、各挟持部２０の対向面２００のそれぞれは、対向面２００をスリーブ本体Ｓ１を挟み込んでいる状態において、互いに平行又は略平行となることが好ましい。なお、本実施形態における各挟持部２０の対向面２００は、平面状に形成されるが、この構成に限定されない。例えば、各挟持部２０の対向面２００は、湾曲していてもよい。この場合、各挟持部２０の対向面２００は、スリーブ本体Ｓ１の外形に沿って湾曲することが好ましい。
【００８１】
上記実施形態において、特に言及しなかったが、挟持部２０は、一対の取付部材２に対して別体であってもよいし、一対の取付部材２に対して一体的に形成されていてもよい。
【符号の説明】
【００８２】
１…先端工具、２…取付部材、２０…挟持部、２１…挿入部、２２…連結部、２３…連結部、２４…抜止部、２５…押圧部材、２６…押上部材、２７…ロック部材、２００…対向面、２２０…壁部、２２０ａ…貫通穴、２３０…装着部、２３０ａ…貫通穴、２４０…筒部、２４１…抜止ピン、２４１ａ…ピン本体、２４１ｂ…頭部、２４２…付勢部材、２５０…押部、２５０ａ…押部本体、２５０ｂ…突出部、２５１…レバー部、２５１ａ…アーム部、２５１ｂ…操作部、２５１ｃ…挿通穴、２６０…押上部、２６０ａ…押上部本体、２６０ｂ…突起部、２６１…被係合部、２６１ａ…延出部、２６１ｂ…歯部、２６２…被取付部材、２６２ａ…被支持部、２７０…係合部、２７０ａ…ベース、２７０ｂ…突起部、２７１…固定部、２７２…弾性部、Ｃ１…架線、Ｃ２…分岐線、Ｐ１…支軸、Ｐ２…支軸、Ｓ…圧縮スリーブ、Ｓ１…スリーブ本体、Ｓ１０…第一の凹部、Ｓ１１…第二の凹部、Ｓ２…第一のリブ、Ｓ３…第二のリブ、Ｙ…絶縁ヤットコ、Ｙ１…把持部
【図１】
0006485740.tif 000002
【図２】
0006485740.tif 000003
【図３】
0006485740.tif 000004
【図４】
0006485740.tif 000005
【図５】
0006485740.tif 000006
【図６】
0006485740.tif 000007
【図７】
0006485740.tif 000008